【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
プロジェクタ装置であって、
画像を表示する表示デバイスと、
前記画像を投射する投射レンズと、
前記投射レンズの近傍に配置されたイメージセンサと、
補正係数を算出する補正係数算出部と、
前記補正係数に従って前記表示デバイスへの供給画像を変形する画像歪補正回路と、を備え、
前記投射レンズが前記表示デバイス上に表示されたテスト画像を投射し、
前記イメージセンサが該投射されたテスト画像を撮像し、
前記補正係数算出部が該撮像されたテスト画像に基づいて前記補正係数を算出することを特徴とするプロジェクタ装置。
【請求項２】
前記請求項１記載のプロジェクタ装置であって、
さらに、スクリーンと前記投射レンズとの間の位置関係を求める距離検出器を備え、
複数のテストパターンが前記テスト画像の四隅近傍に配置され、
前記距離検出器が該投射されたテストパターンと前記投射レンズとの間の距離を計算することにより前記位置関係を求め、
前記補正係数算出部が前記補正係数を前記位置関係に基づいて算出することを特徴とするプロジェクタ装置。
【請求項３】
前記請求項２記載のプロジェクタ装置であって、
前記テストパターンが十字型であることを特徴とするプロジェクタ装置。
【請求項４】
前記請求項２記載のプロジェクタ装置であって、
前記テスト画像が前記テストパターンを４個含むことを特徴とするプロジェクタ装置。
【請求項５】
前記請求項２記載のプロジェクタ装置であって、
前記テスト画像が前記テストパターンを３個のみ含むことを特徴とするプロジェクタ装置。
【請求項６】
前記請求項２記載のプロジェクタ装置であって、
前記テスト画像が前記テストパターンをメッシュ状に含むことを特徴とするプロジェクタ装置。
【請求項７】
前記請求項１記載のプロジェクタ装置であって、
さらに、手動で前記画像歪補正回路を制御する手動調整動作部を有することを特徴とするプロジェクタ装置。
【請求項８】
前記請求項７記載のプロジェクタ装置であって、
前記手動調整動作部がポインタの制御及び表示を行うポインタ制御・表示部であることを特徴とするプロジェクタ装置。
【請求項９】
前記請求項１記載のプロジェクタ装置であって、
前記イメージセンサは前記投射レンズを通して撮像することを特徴とするプロジェクタ装置。
【請求項１０】
プロジェクタ装置であって、
画像を表示する表示デバイスと、
前記画像を投射する投射レンズと、
前記投射レンズの近傍に配置されたイメージセンサと、
前記表示デバイスに供給する画像信号を変形する画像歪補正回路と、を備え、
前記イメージセンサがスクリーンを撮像し、
前記画像歪補正回路が投射表示画面全体画像と該撮像されたスクリーンとの位置関係に基づいて前記供給画像を変形することを特徴とするプロジェクタ装置。
【請求項１１】
前記請求項１０記載のプロジェクタ装置であって、
前記供給画像から生成される投射画像の形状が該スクリーンの領域に合うように前記画像歪補正回路が前記供給画像を変形することを特徴とするプロジェクタ装置。
【請求項１２】
前記請求項１０記載のプロジェクタ装置であって、
前記画像信号から生成される投射画像の形状が該スクリーンを縮小した領域に合うように前記画像歪補正回路が前記供給画像を変形することを特徴とするプロジェクタ装置。
【請求項１３】
前記請求項１２記載のプロジェクタ装置であって、
前記イメージセンサが前記投射画像及び該スクリーンを撮像し、
前記画像歪補正回路が前記画像信号から生成される投射画像の形状が該スクリーンの領域に合うようにさらに前記供給画像を変形することを特徴とするプロジェクタ装置。
【請求項１４】
前記請求項１０記載のプロジェクタ装置であって、
前記投射表示画面全体画像の位置が、工場での生産時に較正により予め求められていることを特徴とするプロジェクタ装置。
【請求項１５】
前記請求項１０記載のプロジェクタ装置であって、
前記投射表示画面全体画像の位置が、使用する初期状態として較正により求められることを特徴とするプロジェクタ装置。
【請求項１６】
前記請求項１０記載のプロジェクタ装置であって、
前記投射レンズが前記表示デバイス上に表示された投射表示位置検出パターンを投射し、
前記イメージセンサが該投射された投射表示位置検出パターンを撮像し、
前記投射表示画面全体画像が該撮像された投射表示位置検出パターンに基づいて算出されることを特徴とするプロジェクタ装置。
【請求項１７】
前記請求項１０記載のプロジェクタ装置であって、
前記投射レンズが前記表示デバイス上に表示された第１の投射表示位置検出パターンを投射し、
前記イメージセンサが該投射された第１の投射表示位置検出パターンを撮像し、
前記投射レンズが前記表示デバイス上に表示された第２の投射表示位置検出パターンを投射し、
前記イメージセンサが該投射された第２の投射表示位置検出パターンを撮像し、
前記投射表示画面全体画像が該撮像された第１及び第２の投射表示位置検出パターンに基づいて算出されることを特徴とするプロジェクタ装置。
【請求項１８】
前記請求項１０記載のプロジェクタ装置であって、
前記第１の投射表示位置検出パターンが第１の白色領域を含み、
前記第２の投射表示位置検出パターンが第２の白色領域を含むことを特徴とするプロジェクタ装置。
【請求項１９】
前記請求項１８記載のプロジェクタ装置であって、
前記第１の白色領域は、前記表示デバイス上で全表示領域の３／４に縮小した領域であって、全表示領域の中央部に位置し、
前記第２の白色領域は、前記表示デバイス上で全表示領域を縦横１／２に縮小した領域であって、全表示領域の中央部に位置することを特徴とするプロジェクタ装置。
【請求項２０】
前記請求項１７記載のプロジェクタ装置であって、
前記第１の投射表示位置検出パターンが第１の白色領域を含み、
前記第２の投射表示位置検出パターンが前記表示デバイスの全表示領域の中心を示すものであることを特徴とするプロジェクタ装置。
【請求項２１】
前記請求項２０記載のプロジェクタ装置であって、
前記第１の白色領域は、前記表示デバイス上で全表示領域を縦横３／４に縮小した領域であって、全表示領域の中央部に位置することを特徴とするプロジェクタ装置。
【請求項２２】
前記請求項１０記載のプロジェクタ装置であって、
該撮像されたスクリーンが前記投射表示画面全体画像に含まれない場合に、前記供給画像から生成される投射画像が該スクリーンに含まれるように、前記画像歪補正回路が前記供給画像の位置移動或いは相似的な拡大又は縮小を行うことを特徴とするプロジェクタ装置。
【請求項２３】
前記請求項１０記載のプロジェクタ装置であって、
さらに、手動で前記画像歪補正回路を制御する手動調整動作部を有することを特徴とするプロジェクタ装置。
【請求項２４】
前記請求項２３記載のプロジェクタ装置であって、
前記手動調整動作部がポインタの制御及び表示を行うポインタ制御・表示部であることを特徴とするプロジェクタ装置。
【請求項２５】
前記請求項１０記載のプロジェクタ装置であって、
前記イメージセンサは前記投射レンズを通して撮像することを特徴とするプロジェクタ装置。
【請求項２６】
プロジェクタ装置の画像歪補正方法であって、
表示デバイスに表示されたテスト画像を投射レンズを通じて投射し、
該投射されたテスト画像を前記投射レンズ近傍に配置されたイメージセンサにて撮像し、
該撮像されたテスト画像に基づいて補正係数を算出し、
前記補正係数に従って前記表示デバイスへの供給画像を変形することを特徴とする画像歪補正方法。
【請求項２７】
プロジェクタ装置の画像歪補正方法であって、
スクリーンを投射レンズ近傍に配置されたイメージセンサにて撮像し、
投射表示画面全体画像と該撮像されたスクリーンとの位置関係に基づいて表示デバイスへの供給画像を変形することを特徴とする画像歪補正方法。
【手続補正２】
【補正対象書類名】明細書
【補正対象項目名】発明の名称
【補正方法】変更
【補正の内容】
【発明の名称】プロジェクタ装置とその画像歪補正方法
【手続補正３】
【補正対象書類名】明細書
【補正対象項目名】００１５
【補正方法】変更
【補正の内容】
【００１５】
本発明のプロジェクタ装置は、
画像を表示する表示デバイスと、
前記画像を投射する投射レンズと、
前記投射レンズの近傍に配置されたイメージセンサと、
補正係数を算出する補正係数算出部と、
前記補正係数に従って前記表示デバイスへの供給画像を変形する画像歪補正回路と、を備え、
前記投射レンズが前記表示デバイス上に表示されたテスト画像を投射し、
前記イメージセンサが該投射されたテスト画像を撮像し、
前記補正係数算出部が該撮像されたテスト画像に基づいて前記補正係数を算出することを特徴とする。
この場合、スクリーンと前記投射レンズとの間の位置関係を求める距離検出器を備え、
複数のテストパターンが前記テスト画像の四隅近傍に配置され、
前記距離検出器が該投射されたテストパターンと前記投射レンズとの間の距離を計算することにより前記位置関係を求め、
前記補正係数算出部が前記補正係数を前記位置関係に基づいて算出することとしてもよい。
また、前記テストパターンが十字型であるとしてもよい。
また、前記テスト画像が前記テストパターンを４個含むこととしてもよい。
また、前記テスト画像が前記テストパターンを３個のみ含むこととしてもよい。
また、前記テスト画像が前記テストパターンをメッシュ状に含むこととしてもよい。
また、手動で前記画像歪補正回路を制御する手動調整動作部を有することとしてもよい。
また、前記手動調整動作部がポインタの制御及び表示を行うポインタ制御・表示部であるとしてもよい。
また、前記イメージセンサは前記投射レンズを通して撮像することとしてもよい。
本発明の他の形態によるプロジェクタ装置は、
画像を表示する表示デバイスと、
前記画像を投射する投射レンズと、
前記投射レンズの近傍に配置されたイメージセンサと、
前記表示デバイスに供給する画像信号を変形する画像歪補正回路と、を備え、
前記イメージセンサがスクリーンを撮像し、
前記画像歪補正回路が投射表示画面全体画像と該撮像されたスクリーンとの位置関係に基づいて前記供給画像を変形することを特徴とする。
この場合、前記供給画像から生成される投射画像の形状が該スクリーンの領域に合うように前記画像歪補正回路が前記供給画像を変形することとしてもよい。
また、前記画像信号から生成される投射画像の形状が該スクリーンを縮小した領域に合うように前記画像歪補正回路が前記供給画像を変形することとしてもよい。
また、前記イメージセンサが前記投射画像及び該スクリーンを撮像し、
前記画像歪補正回路が前記画像信号から生成される投射画像の形状が該スクリーンの領域に合うようにさらに前記供給画像を変形することとしてもよい。
また、前記投射表示画面全体画像の位置が、工場での生産時に較正により予め求められていることとしてもよい。
また、前記投射表示画面全体画像の位置が、使用する初期状態として較正により求められることとしてもよい。
また、前記投射レンズが前記表示デバイス上に表示された投射表示位置検出パターンを投射し、
前記イメージセンサが該投射された投射表示位置検出パターンを撮像し、
前記投射表示画面全体画像が該撮像された投射表示位置検出パターンに基づいて算出されることとしてもよい。
また、前記投射レンズが前記表示デバイス上に表示された第１の投射表示位置検出パターンを投射し、
前記イメージセンサが該投射された第１の投射表示位置検出パターンを撮像し、
前記投射レンズが前記表示デバイス上に表示された第２の投射表示位置検出パターンを投射し、
前記イメージセンサが該投射された第２の投射表示位置検出パターンを撮像し、
前記投射表示画面全体画像が該撮像された第１及び第２の投射表示位置検出パターンに基づいて算出されることとしてもよい。
また、前記第１の投射表示位置検出パターンが第１の白色領域を含み、
前記第２の投射表示位置検出パターンが第２の白色領域を含むこととしてもよい。
また、前記第１の白色領域は、前記表示デバイス上で全表示領域の３／４に縮小した領域であって、全表示領域の中央部に位置し、
前記第２の白色領域は、前記表示デバイス上で全表示領域を縦横１／２に縮小した領域であって、全表示領域の中央部に位置することとしてもよい。
また、前記第１の投射表示位置検出パターンが第１の白色領域を含み、
前記第２の投射表示位置検出パターンが前記表示デバイスの全表示領域の中心を示すものであるとしてもよい。
また、前記第１の白色領域は、前記表示デバイス上で全表示領域を縦横３／４に縮小した領域であって、全表示領域の中央部に位置することとしてもよい。
また、該撮像されたスクリーンが前記投射表示画面全体画像に含まれない場合に、前記供給画像から生成される投射画像が該スクリーンに含まれるように、前記画像歪補正回路が前記供給画像の位置移動或いは相似的な拡大又は縮小を行うこととしてもよい。
また、手動で前記画像歪補正回路を制御する手動調整動作部を有することとしてもよい。
また、前記手動調整動作部がポインタの制御及び表示を行うポインタ制御・表示部であるとしてもよい。
また、前記イメージセンサは前記投射レンズを通して撮像することとしてもよい。
本発明のプロジェクタ装置の画像歪補正方法は、
表示デバイスに表示されたテスト画像を投射レンズを通じて投射し、
該投射されたテスト画像を前記投射レンズ近傍に配置されたイメージセンサにて撮像し、
該撮像されたテスト画像に基づいて補正係数を算出し、
前記補正係数に従って前記表示デバイスへの供給画像を変形することを特徴とする。
本発明の他の形態によるプロジェクタ装置の画像歪補正方法は、
スクリーンを投射レンズ近傍に配置されたイメージセンサにて撮像し、
投射表示画面全体画像と該撮像されたスクリーンとの位置関係に基づいて表示デバイスへの供給画像を変形することを特徴とする。
本発明は、ドットマトリクスで構成された、表示デバイスを拡大投射してスクリーンに投影するプロジェクタに関して、スクリーンがプロジェクタに正対していない状態で投影された時に、投射映像表示範囲に対するスクリーンの位置を検出して、スクリーンに投射映像が合うように画像歪み補正を行う。